(57)【特許請求の範囲】
【請求項１】
車両に搭載されるとともに、課金対象エリアの料金所に設置されている料金収受装置との間で課金に関する情報を授受する車載器であって、
前記料金収受装置に設けられるアンテナの設置位置の情報と該アンテナの識別情報とを対応付けた地図情報を記憶する記憶手段と、
前記車両の位置情報を取得する位置情報取得手段と、を具備し、
前記料金収受装置の付近を通過した場合に、該料金収受装置から前記アンテナの識別情報を取得し、取得した前記アンテナの識別情報及び前記地図情報に基づいて推定される前記車両の位置と、前記位置情報取得手段から取得される前記位置情報に基づいて推定される前記車両の位置とが一致していない場合に、取得した前記アンテナの識別情報から推定される前記車両の位置に基づいて、前記位置情報取得手段から取得した前記位置情報を補正する車載器。
【請求項２】
広域無線を利用するための広域通信機を介して、前記料金収受装置の上位装置であるセンタ機と通信可能に接続されており、かつ、専用狭帯域無線を利用するための専用狭帯域無線機を介して、前記料金収受装置と通信可能に接続されている場合に、
前記地図情報は、
前記広域通信機、前記専用狭帯域無線機、及び前記広域通信機以外に前記センタ機と通信可能に接続させる発行保守機器のうち、少なくともいずれか１つから取得可能とされている請求項１に記載の車載器。
【請求項３】
前記地図情報において、前記料金収受装置から取得した前記アンテナの識別情報に対応する前記料金収受装置の前記アンテナの設置位置の情報が含まれていない場合に、前記広域通信機を介して前記センタ機から最新の前記地図情報を取得する請求項２に記載の車載器。
【請求項４】
前記地図情報の前記アンテナの設置位置の情報は、演算に基づいて前記車両の位置を得るための相対的な位置を示す情報、または前記車両の位置を特定する絶対的な位置を示す情報である請求項１または請求項２に記載の車載器。
【請求項５】
前記アンテナの識別情報は、新旧を識別するための新旧識別情報を含んでおり、
前記料金収受装置から取得した前記アンテナの識別情報の前記新旧識別情報と、前記地図情報に含まれる前記アンテナの識別情報の前記新旧識別情報とが一致していない場合には、広域無線を利用するための広域通信機を介して前記料金収受装置の上位装置であるセンタ機から最新の前記地図情報を取得する請求項２から請求項４のいずれかに記載の車載器。
【請求項６】
前記料金収受装置の前記アンテナから前記アンテナの識別情報とともに、前記アンテナの設置位置の情報を取得する請求項１から請求項５のいずれかに記載の車載器。
【請求項７】
前記料金収受装置から、設置位置の情報を取得した場合に、前記地図情報に含まれる前記料金収受装置の設置位置の情報と置き換える請求項６に記載の車載器。
【請求項８】
前記料金収受装置は、複数の前記アンテナを有する請求項１から請求項７のいずれかに記載の車載器。
【請求項９】
前記アンテナの識別情報は、新旧を識別するための新旧識別情報を含んでおり、前記料金収受装置から取得した前記アンテナの識別情報の前記新旧識別情報と、前記地図情報に含まれる前記アンテナの識別情報の前記新旧識別情報とが一致していない場合には、広域無線を利用するための広域通信機を介して、前記料金収受装置の上位装置であるセンタ機から最新の前記地図情報を取得する請求項２から請求項４のいずれかに記載の車載器と、前記車載器から、最新の前記地図情報の取得要求に応じて、最新の前記地図情報を前記車載器に出力する前記センタ機と、を具備する料金収受システムであって、
前記センタ機は、最新の前記地図情報のうち、前記車載器の前記地図情報に含まれる前記アンテナの識別番号の前記新旧識別情報が異なる前記アンテナに対応する情報のみを、最新の前記地図情報として前記車載器に出力する料金収受システム。
【発明の詳細な説明】
【技術分野】
【０００１】
本発明は、車載器及び料金収受システムに関するものである。
【背景技術】
【０００２】
近年、大都市中心部への過剰な自動車の乗り入れによる交通渋滞、大気汚染などを緩和する対策として、都市部に課金対象エリアを設け、この課金対象エリアに進入する車両に対して一定額の課金を行う、いわゆるロードプライシングが実現されている。ロードプライシングでは、例えば、課金対象エリアの各出入口に、課金用の無線通信装置が設置されたガントリが設けられており、車両がガントリを通過する場合に課金処理が行われる。また、課金方法としては、例えば、車載器に挿入されたプリペイドカードの残高から一定額の料金を差し引き、その残額をプリペイドカードに残高として更新記録する方法や、予め登録されている利用者の銀行口座から自動的に一定の料金が差し引かれる方法などが採用されている。
【０００３】
また、道路の利用料を自動的に徴収するシステムとして、ＥＴＣ（Ｅｌｅｃｔｒｏｎｉｃ  ｔｏｌｌ  Ｃｏｌｌｅｃｔｉｏｎ）システムが知られている。このＥＴＣシステムは、料金所に設置された路側無線機と車両に搭載される車載器との間で無線通信を行うことにより、料金を自動徴収することができるようにしたものである。
こうしたロードプライシングに関する料金収受システムやＥＴＣシステムにおいて、既存の課金対象エリアを拡張した場合における、料金徴収の方法が検討されている。
例えば、特許文献１では、車載器が、ＧＰＳ受信機により取得される位置情報に基づいて拡張課金対象エリアに進入したか否かを検知し、この検出結果を既存の課金対象エリアに進入する際に、課金対象エリアに設置された料金収受装置に通知することにより、料金収受装置側から拡張課金対象エリアにおける道路利用料金を徴収させる技術が開示されている。
【先行技術文献】
【特許文献】
【０００４】
【特許文献１】特開２００８−９７３１号公報
【発明の概要】
【発明が解決しようとする課題】
【０００５】
ところで、上述のような料金収受システムは、不正に操作する利用者により道路利用料金が正しく支払われない場合があるため、不正を検出するために、車両の位置情報を把握する必要がある。車両の位置情報は、例えば、車載器のＧＰＳ受信機により取得される情報に基づいて推定されるが、上記特許文献１では、ＧＰＳ受信機から取得した位置の情報が本来の位置よりずれていても、ずれを検出することができず、車両の位置を補正することができないという問題があった。
【０００６】
本発明は、このような事情に鑑みてなされたものであって、車両の位置を精度よく補正することのできる車載器及び料金収受システムを提供することを目的とする。
【課題を解決するための手段】
【０００７】
上記課題を解決するために、本発明は以下の手段を採用する。
本発明は、車両に搭載されるとともに、課金対象エリアの料金所に設置されている料金収受装置との間で課金に関する情報を授受する車載器であって、前記料金収受装置に設けられるアンテナの設置位置の情報と該アンテナの識別情報とを対応付けた地図情報を記憶する記憶手段と、前記車両の位置情報を取得する位置情報取得手段と、を具備し、前記料金収受装置の付近を通過した場合に、該料金収受装置から前記アンテナの識別情報を取得し、取得した前記アンテナの識別情報及び前記地図情報に基づいて推定される前記車両の位置と、前記位置情報取得手段から取得される前記位置情報に基づいて推定される前記車両の位置とが一致していない場合に、取得した前記アンテナの識別情報から推定される前記車両の位置に基づいて、前記位置情報取得手段から取得した前記位置情報を補正する車載器を提供する。
【０００８】
このような構成によれば、車両に搭載され、課金対象エリアの料金所に設置される料金収受装置との間で課金に関する情報を授受する車載器は、料金収受装置の付近を通過すると、その料金収受装置から料金収受装置のアンテナの識別情報を取得する。車載器においてアンテナの識別情報が取得されると、記憶手段に記憶された地図情報に含まれる料金収受装置のアンテナの設置位置とアンテナの識別情報とに基づいて、車両の位置が推定される。この料金収受装置から取得したアンテナの識別情報に基づいて推定された車両の位置と、位置情報取得手段から取得される位置情報から推定される車両の位置とが比較され、車両の位置が一致していない場合には、位置情報取得手段から取得された位置情報が補正される。このように、料金収受装置側から推定される車両の位置と、位置情報取得手段から推定される車両の位置とを比較し、一致していない場合に、位置情報取得手段から取得される位置情報を補正するので、位置情報取得手段から得られる位置情報の精度を保つことができる。
【０００９】
上記車載器において、広域無線を利用するための広域通信機を介して、前記料金収受装置の上位装置であるセンタ機と通信可能に接続されており、かつ、専用狭帯域無線を利用するための専用狭帯域無線機を介して、前記料金収受装置と通信可能に接続されている場合に、前記地図情報は、前記広域通信機、前記専用狭帯域無線機、及び前記広域通信機以外に前記センタ機と通信可能に接続させる発行保守機器のうち、少なくともいずれか１つから取得可能とされていることとしてもよい。
地図情報は、広域通信機、専用狭帯域無線機、及び発行保守機器のいずれかを介して車載器側にダウンロードされるようになっているので、車載器は料金収受装置の設置位置を特定する情報を容易に取得することができる。
【００１０】
上記車載器の前記地図情報において、前記料金収受装置から取得した前記アンテナの識別情報に対応する前記料金収受装置の前記アンテナの設置位置の情報が含まれていない場合に、前記広域通信機を介して前記センタ機から最新の前記地図情報を取得することとしてもよい。
車載器に備えられる地図情報において、料金収受装置から取得したアンテナの識別情報に対応する料金収受装置の情報（設置位置）が含まれていない場合には、最新の地図情報を得ることにより、最新の料金収受装置の位置を車載器側で簡便に把握することができる。
【００１１】
上記車載器の前記地図情報の前記アンテナの設置位置の情報は、演算に基づいて前記車両の位置を得るための相対的な位置を示す情報、または前記車両の位置を特定する絶対的な位置を示す情報であることとしてもよい。
アンテナの設置位置の情報は、演算に基づいて車両の位置を得るための相対的な位置、または車両の位置を直接特定する絶対的な位置であることにより、確実に車両の位置を特定することができる。
【００１２】
上記車載器の前記アンテナの識別情報は、新旧を識別するための新旧識別情報を含んでおり、前記料金収受装置から取得した前記アンテナの識別情報の前記新旧識別情報と、前記地図情報に含まれる前記アンテナの識別情報の前記新旧識別情報とが一致していない場合には、広域無線を利用するための広域通信機を介して前記料金収受装置の上位装置であるセンタ機から最新の前記地図情報を取得することとしてもよい。
料金収受装置から得たアンテナの識別番号と地図情報に含まれるアンテナの識別番号との新旧識別情報が一致していなければ最新の地図情報を取得するので、車載器には最新の地図情報が備えられる。これにより、料金収受装置の最新の正確な設置位置の情報が得られる。
【００１３】
上記車載器において、前記料金収受装置の前記アンテナから前記アンテナの識別情報とともに、前記アンテナの設置位置の情報を取得することとしてもよい。
これにより、車載器において、料金収受装置の設置位置の情報が簡便に取得できる。
【００１４】
上記車載器の前記料金収受装置から、設置位置の情報を取得した場合に、前記地図情報に含まれる前記料金収受装置の設置位置の情報と置き換えることとしてもよい。
料金収受装置の物理的位置が変更されて設置位置に変更がある場合には、車載器の地図情報に含まれる料金収受装置の設置位置の情報を簡便に更新することができる。
上記車載器の前記料金収受装置は、複数の前記アンテナを有することとしてもよい。
【００１５】
本発明は、前記アンテナの識別情報は、新旧を識別するための新旧識別情報を含んでおり、前記料金収受装置から取得した前記アンテナの識別情報の前記新旧識別情報と、前記地図情報に含まれる前記アンテナの識別情報の前記新旧識別情報とが一致していない場合には、広域無線を利用するための広域通信機を介して、前記料金収受装置の上位装置であるセンタ機から最新の前記地図情報を取得する請求項２から請求項４のいずれかに記載の車載器と、前記車載器から、最新の前記地図情報の取得要求に応じて、最新の前記地図情報を前記車載器に出力する前記センタ機と、を具備する料金収受システムであって、前記センタ機は、最新の前記地図情報のうち、前記車載器の前記地図情報に含まれる前記アンテナの識別番号の前記新旧識別情報が異なる前記アンテナに対応する情報のみを、最新の前記地図情報として前記車載器に出力する料金収受システムを提供する。
【００１６】
車載器は、料金収受装置から取得したアンテナの識別番号の新旧識別情報が、地図情報に含まれるアンテナの識別番号に対応する新旧識別情報と異なる場合に、新旧識別情報の異なるアンテナに対応するアンテナの識別番号とアンテナの設置位置の情報とをセンタ機から取得する。これにより、センタ機から車載器に最新の地図情報を出力する場合に、通信媒体にかかる負荷を低減させることができる。
【発明の効果】
【００１７】
本発明は、車両の位置を精度よく補正することができるという効果を奏する。
【図面の簡単な説明】
【００１８】
【図１】本発明の一実施形態に係る料金収受システムの全体構成を示す図である。
【図２】本発明の一実施形態に係る料金収受システムの概略構成を示すブロック図である。
【図３】課金対象エリアの進入車線を路肩側から見たときの図である。
【図４】図３に示した車両検知器の下方に敷設されているマーキングの一例を示した図である。
【図５】車両が通過したときの図４に示したマーキングの様子を示した図である。
【図６】本発明の一実施形態に係る車載器の概略構成を示すブロック図である。
【図７】本発明の一実施形態に係るセンタ機の概略構成を示すブロック図である。
【図８】車載器が課金対象エリアを通過する場合について説明した図である。
【図９】本発明の一実施形態に係る車載器の動作を簡潔に説明した図である。
【発明を実施するための形態】
【００１９】
以下に、本発明に係る車載器及び料金収受システムの一実施形態について、図面を参照して説明する。
図１は、本発明の一実施形態に係る料金収受システム１の全体構成図である。
図１に示すように、料金収受システム１は、ロードプライシングの対象エリアである課金対象エリアＡの境界を通過する全ての道路において、車両３が、課金対象エリアＡに進入、および／または課金対象エリアＡから退出することを検出する料金収受装置（図示略）が設けられている。例えば、料金収受装置は、課金対象エリアＡへ車両３が進入する進入車線、および課金対象エリアＡから車両３が退出する退出車線にそれぞれ対応して設けられており、対応する進入車線および退出車線を通過する車両３に搭載されている車載器との間で、車載器の情報を授受する。
【００２０】
図２は、料金収受システムの概略構成を示すブロック図である。図２に示すように、料金収受装置２は、第１アンテナ５、カメラ６、車両検知器７、第２アンテナ８を備えている。更に、料金収受装置２は、第１アンテナ５に接続される第１アンテナ制御機９、カメラ６に接続されるカメラ制御機１０、車両検知器７に接続される車両検知制御機１１、第２アンテナ８に接続される第２アンテナ制御機１２を備えている。更に、料金収受装置２は、統括制御機１３、統括制御機１３に接続される環境制御機１４、統括制御機１３に接続される通信制御機１５を備えている。上記第１アンテナ制御機９、カメラ制御機１０、車両検知制御機１１、第２アンテナ制御機１２および統括制御機１３は、バス１６を介して互いに接続されており、情報の授受が可能な状態とされている。また、通信制御機１５は、上位の装置であるセンタ機１７と通信可能に接続されている。
【００２１】
上記構成を有する料金収受装置２において、第１アンテナ５、カメラ６、車両検知器７、および第２アンテナ８は、課金対象エリアＡの境界における走行道路をまたいで配置される門型の支持柱に取り付けられている。図３は、走行車線を側方から見た図である。第１アンテナ５および第２アンテナ８は、対応する走行車線を走行する車両３の車載器からの信号を受信しやすいように設置されている。例えば、第１アンテナ５、および第２アンテナ８は、アンテナビームが対応する走行車線に向けられるように設置されている。
【００２２】
また、第１アンテナ５および第２アンテナ８は、車載器が課金対象エリアＡのエリア境界付近を通過する場合の車載器の情報を取得する。具体的には、第１アンテナ５および第２アンテナ８は、車両が拡張課金対象エリアＢ（詳細は後述する）から課金対象エリアＡに進入した時点、および／または車両が課金対象エリアＡから拡張課金対象エリアＢに退出する時点において、車載器に対して要求信号を出力し、車載器から車載器の識別情報を取得する。車載器の識別情報とは、入退出した時点の時刻（例えば、年月日）、予め車載器に割り当てられている車載器番号、車載器のＩＣカードインタフェースに挿入されているＩＣカード番号等である。また、第１アンテナ５と第２アンテナ８とは、約１０ｍから１５ｍの距離をあけて設置されている。これは、車載器が第１アンテナ５から受信した信号（例えば、車載器の識別情報の要求信号）に応じて、車載器が応答信号を第２アンテナ８に出力するまでの処理時間を確保することを目的としたものである。
また、第１アンテナ５および第２アンテナ８は、自身のアンテナの識別情報を車載器に送信する。
【００２３】
カメラ６は、不正車両が検出された場合に、その不正車両のナンバープレートを撮影するためのものである。不正車両とは、例えば、車載器を搭載していない車両、車種に対応する車載器を搭載していない車両、車載器にＩＣカードが挿入されていない車両、徴収する金額よりもＩＣカードに記録されている残高が少なく課金が正常に行えなかった車両、偽造された車載器や偽造されたＩＣカードを搭載している車両等である。これらの不正車両か否かの判定は、第１アンテナ５および第２アンテナ８により車載器から取得された車載器の識別情報等に基づいて行われるが、不正車両の判定方法についての詳細は後述する。
車両検知器７は、車両３が通過したことを検出する。例えば、車両検知器７の下方の道路には、図４に示すように縞模様のマーキングがされている。車両検知器７は、この縞模様を上方からモニタしており、この縞模様が図５に示すように、正常に検出できなくなった場合に、車両３の通過を検知する。
【００２４】
また、図１に示すように、課金対象エリアＡの外側には、新たに設定された拡張課金対象エリアＢが設定されている。例えば、この拡張課金対象エリアＢは、もともと存在していた課金対象エリアＡを拡張したいという要望等があった場合に、事後的に設定されるエリアである。この拡張課金対象エリアＢは、課金対象エリアＡを取り囲むように設けられていても良いし、その一部が課金対象エリアＡと接するように設けられていてもよいし、また、課金対象エリアＡに接することなく、別個に設けられるエリアであっても良い。
拡張課金対象エリアＢには、上述した課金対象エリアＡのように、エリア境界における進入車線および退出車線に料金収受装置が設置されていない。その代わりに、車両３に搭載された車載器によって、その入退出を検出するようになっている。
【００２５】
図６は、本実施形態に係る車載器の概略構成を示すブロック図である。図６に示すように、車載器５０は、車両電源２１および内蔵電池２２に接続される電源回路２３、第１広域通信機３２、ＧＰＳ衛星から位置情報に関する情報を取得して現在位置を検出するＧＰＳ受信機（位置情報取得手段）２４、種々の情報を記憶する車載器記憶装置（記憶手段）２５、制御部２６、料金収受装置２の第１アンテナ５，第２アンテナ８等と通信を行う通信部２７、表示部２８、ブザー、ＬＥＤなどの報知部２９、ＩＣカードが挿入されるＩＣカード挿入部３０、およびＩＣカード挿入部３０に設けられるＩＣカードインターフェース（図６では「ＩＣカードＩ／Ｆ」として示す）３１、補正部３３、及び通信ポート３４を備えている。
【００２６】
図６において、ＧＰＳ受信機２４等の各種構成要素は必ずしも車載器５０内に内蔵されていなくてもよい。例えば、各構成要素が情報の授受が可能な状態で構成されていれば良い。一例としては、ＧＰＳ機能を有する携帯端末装置を外部端子を介して接続し、この携帯端末装置が備えるＧＰＳ機能をＧＰＳ受信機２４として利用するような構成態様をとることが可能である。
第１広域通信機３２は、外部の装置と通信を行うものであり、例えば、料金収受装置２の上位装置であるセンタ機１７（図２参照）と通信可能に接続される。
【００２７】
電源回路２３は主に車両電源２１から供給される電圧を車載器５０に適した電圧に制御し、車載器５０を構成する各部に供給する。内蔵電池２２は、車両電源２１からの電源供給が遮断された場合でも、通信を行う程度の電力が確保できるよう設けられている。
車載器記憶装置２５には、課金対象エリアＡ外に設定された拡張課金対象エリアＢの地図情報が格納されている。また、車載器記憶装置２５の地図情報は、料金収受装置２に設けられるアンテナの設置位置の情報とアンテナの識別情報とが対応付けられて格納されている。
【００２８】
また、この車載器記憶装置２５には、車両の所有者情報、車種情報、車両ＩＤ等を含む車両情報、車両の現在位置情報、車載器の識別情報、ＩＣカードから読み出された残高情報およびカード情報等、後述する課金額の算出および不正車両の判定に必要となる情報が保存されている。また、車両３の現在位置情報とは、制御部２６において、地図情報とＧＰＳ受信機２４から取得した位置情報とに基づいて推定される車両３の現在の位置を示す情報である。
【００２９】
ＩＣカード挿入部３０に挿入されるＩＣカードは、例えば、接触型のＩＣカードであり、フラッシュメモリやＭＰＵなどが搭載されたＩＣチップを内蔵している。このＩＣカードには、カードＩＤ番号等のカード情報の他、残高、使用履歴等が記憶されている。ＩＣカードに記録されている情報は、ＩＣカードインターフェース３１を介して、制御部２６による読み出し、書き込みが可能とされている。
【００３０】
このような車載器５０において、ＩＣカード挿入部３０にＩＣカードが挿入されると、制御部２６は、ＩＣカードインターフェース３１を介してＩＣカードに記録されているＩＣカード情報および残高を読み出して車載器記憶装置２５に書き込むとともに、残高を表示部２８に一定時間（例えば、１０秒程度）、表示させる。また、制御部２６は、ＩＣカードから正常に情報を読み取ることができた場合には、正常動作をユーザに知らせるために報知部２９を作動させる。これにより、例えば、報知部２９がブザーであった場合には、ブザーがなり、また、ＬＥＤなどであれば、点灯することで正常である旨を報知する。
一方、制御部２６は、ＩＣカードから情報を読み取れなかった場合には、エラーである旨を表示部２８に表示させるとともに、報知部２９を作動させることにより、エラーである旨をユーザに報知し、ＩＣカードの再挿入などを促す。なお、報知部２９による報知の態様は、正常時と異常時とで異なる。
【００３１】
制御部２６は、料金収受装置２から要求信号を取得すると、車載器記憶装置２５に格納されている車載器５０の識別情報と車両情報とを読み出すとともに、これらを要求信号に対する応答信号として料金収受装置２に出力する。また、制御部２６は、料金収受装置２から要求信号を取得すると、車両３が、拡張課金対象エリアＢから課金対象エリアＡに進入した場合の進入の情報、および／または課金対象エリアＡから拡張課金対象エリアＢに退出した場合の退出の情報である入退出情報を検出し、第１広域通信機３２を介してセンタ機１７に出力する。また、制御部２６は、入退出情報とともに、入退出情報を検出する際に用いた現在位置情報と、車両情報とをセンタ機１７に出力する。
【００３２】
図７に示されるように、センタ機１７は、第２広域通信機１８、不正判定部（不正判定手段）１９、および算出部２０を備えている。第２広域通信機１８は、外部の装置と通信を行うものであり、例えば、車載器と通信可能に接続するためのものである。この第２広域通信機１８は、本実施形態においてはセンタ機１７に内蔵されていることとして説明するが、これに限定されず、例えば、携帯電話機などの移動通信端末をセンタ機１７に設けられた接続端子を介して接続し、用いることとしても良い。
【００３３】
不正判定部１９は、料金収受装置２から取得した車載器の識別情報と車両情報とに基づく車両３の入退出の情報、および第２広域通信機１８を介して車載器から取得した車両３の入退出情報に基づいて、不正（例えば、通過した経路を改竄する等）を行った車両（以下、「不正車両」という）か否かを判定する。
図８に示されるように、拡張課金対象エリアＢと課金対象エリアＡとのエリア境界において、料金収受装置２ｘ，２ｙ，２ｚが設けられている場合を例に挙げて説明する。センタ機１７の不正判定部１９は、料金収受装置２ｙが車両３（例えば、車両ＩＤ「Ｃ」とする）から受信した応答信号を検出し、この応答信号に基づいて、料金収受装置２ｙを介して課金対象エリアＡから退出したことを検出している。この場合に、不正判定部１９は、第２広域通信機１８を介して取得した入退出情報のうち、車両ＩＤ「Ｃ」に対応付けられた入退出情報を検出する。
【００３４】
ここで、第２広域通信機１８を介して不正判定部１９が取得した車両ＩＤ「Ｃ」に対応付けられた入退出情報は、ＧＰＳによって検出された実際の車両位置に基づいて決定されているので、不正判定部１９は、この入退出情報から推定される車両ＩＤ「Ｃ」の車両３の車両位置と、料金収受装置側から取得した応答信号に基づく車両位置とを比較する。上述した双方から取得した情報に基づいて、検出（推定）された車両位置が一致しているかを判定する。判定の結果、一致していない場合（例えば、入退出情報では料金収受装置２ｚの位置を検出している等）には、不正判定部１９は、車両３から出力された応答信号が不正に改竄されている等の状態が推定されるため、車両ＩＤ「Ｃ」の車両を不正車両であると判定する。
【００３５】
さらに、不正判定部１９は、料金収受装置２から取得した応答信号により、車両３が車種に対応した車載器５０を備えているか否かに基づいて、不正車両か否かを判定する。例えば、車両情報では、車種としてトラック等の「大型」である旨を示しているにも関わらず、車載器の識別情報から検出される車種の情報は軽自動車等の「小型」である場合には、実際の車種と異なる車載器を搭載していることとして、不正車両であると判定する。
このように、不正判定部１９は、上記のように不正車両か否かの判定結果を算出部２０に出力する。
【００３６】
算出部２０は、取得した入退出情報に基づいて、車両３の利用者の道路利用料金として車両利用者に課す課金額を算出する。また、算出部２０は、不正判定部１９から取得した不正車両か否かの判定結果に基づいた課金額を算出する。例えば、算出部２０は、不正車両でないと判定された車両３に対しては、割引等の特典を適用した課金額を算出し、不正車両であると判定された車両３に対しては、不正車両に関する情報を記録するブラックリストに登録するとともに、割引等の特典を適用しない課金額を算出する。
【００３７】
また、具体的には、算出部２０は、不正車両に関する情報が登録されるブラックリスト３４、拡張課金対象エリアＢに関する課金情報が登録された第１課金テーブル（第１課金情報）３５、課金対象エリアＡに関する課金情報が登録された第２課金テーブル（第２課金情報）３６、を記憶するセンタ機記憶装置３７と、車載器５０から受信した入退出情報に基づいて、車載器５０を搭載している車両３の課金額を決定する金額決定部３８とを備えている。
【００３８】
第１課金テーブル３５には、例えば、車種（大型、中型、小型などの別）に応じて徴収する金額が第１課金額として登録されている。例えば、小型なら０．８ドル、中型なら１ドル、大型なら２ドルなどのように登録されている。
また、第２課金テーブル３６には、上述のように、車種に対応して金額が登録されているとともに、更に、拡張課金対象エリアＢに進入していた場合に徴収する金額と、進入していなかった場合に徴収する金額とに分けられた第２課金額が登録されている。例えば、中型車両において、拡張課金対象エリアＢに進入していた場合には０．５ドル、進入していなかった場合には１ドルが登録されている。
このように、拡張課金対象エリアＢに進入していた場合と進入していなかった場合とで金額を異ならせ、経路や距離等に応じた割引等の特典を適用した金額を設定することで、拡張課金対象エリアＢを通過してきた車両３の運転手等に対してお得感を与えることができる。
【００３９】
補正部３３は、料金収受装置の付近を通過した場合に、料金収受装置からアンテナの識別情報を取得し、取得したアンテナの識別情報及び地図情報に基づいて推定される車両の位置と、ＧＰＳ受信機２４から取得される位置情報に基づいて推定される車両３の位置とが一致していない場合に、取得したアンテナの識別情報から推定される車両３の位置に基づいて、ＧＰＳ受信機２４から取得した位置情報を補正する。
【００４０】
通信ポート３４は、外部の装置と通信を行うためのインタフェースであり、例えば、無線または有線の通信媒体と接続可能とされている。本実施形態においては、通信ポートから有線ネットワーク（例えば、イーサネット）で発行保守機器と接続されていることとする。また、発行保守機器３５は、センタ機１７と通信可能に接続されており、センタ機１７との通信可能に接続するための媒体は特に限定されない。
【００４１】
次に、車両３が拡張課金対象エリアＢに進入した後に、課金対象エリアＡに進入する場合の上記車載器５０の動作内容について、図６および図９を用いて説明する。
図９に示すように、車載器５０のＧＰＳ受信機２４は、走行中において複数のＧＰＳ衛星から現在位置に関する位置情報を取得している。ＧＰＳ受信機２４は、取得した位置情報を制御部２６に出力すると、制御部２６は、これら位置情報と車載器記憶装置２５に格納されている地図情報とに基づいて車両３の現在位置情報を検出するとともに、車載器記憶装置２５に格納する。続いて、車両３が料金収受装置２の付近を通過することにより、制御部２６は、料金収受装置２の第１アンテナ５から要求信号を受信すると、車載器記憶装置２５に格納されている現在位置情報に基づいて、車両３の入退出情報を検出する。
【００４２】
例えば、車載器記憶装置２５において記憶されている現在位置情報が「拡張課金対象エリアＢ」であり、第１アンテナ５から要求信号を受信した後に、制御部２６によって新たな現在位置情報が「課金対象エリアＡ」であると検出された場合には、車両３が「拡張課金対象エリアＢから課金対象エリアＡに進入」したことを検出し、これを入退出情報とする。また、例えば、車載器記憶装置２５において記憶されている現在位置情報が「課金対象エリアＡ」であり、第１アンテナ５から要求信号を受信した後に、制御部２６によって新たな現在位置情報が「拡張課金対象エリアＢ」であると検出された場合には、車両３が「課金対象エリアＡから拡張課金対象エリアＢに退出」したことを検出し、これを入退出情報とする。
【００４３】
制御部２６は、このように検出された入退出情報（例えば、「拡張課金対象エリアＢから課金対象エリアＡに進入」）を第１広域通信機３２を介してセンタ機１７に出力する。
センタ機１７は、第２広域通信機１８を介して取得した入退出情報に基づいて、車両３の利用者から徴収する道路利用料金としての課金額を決定し、決定した課金額の情報を車載器５０に対して送信する。車載器５０の制御部２６は、第１広域通信機３２を介して課金額の情報を受信すると、ＩＣカードに記録されている残高から、取得した課金額の情報に応じた金額を差し引き、その残高をＩＣカードに残高として更新記録する。
【００４４】
次に、上述した車載器５０が、車両（車載器）の位置の情報を補正する場合の動作について説明する。
車両３が料金収受装置２の付近を通過した場合に、料金収受装置２に設けられる第１アンテナ５から、車載器５０に対し、アンテナの識別情報が送信される。車載器５０の制御部２６は、取得した料金収受装置２のアンテナ（例えば、第１アンテナ５）の識別情報と、記憶装置２５から読み出した地図情報とを補正部３３に出力する。地図情報には、料金収受装置２に設けられるアンテナの設置位置の情報とアンテナの識別情報とが対応付けられているので、補正部３３において、地図情報と取得したアンテナの識別情報とに基づいて、車載器５０の第１現在位置が推定される。
【００４５】
また、車載器５０のＧＰＳ受信機２４からは位置情報が取得されており、補正部３３において、この位置情報に基づいて車載器５０の第２現在位置が推定される。さらに、補正部３３は、第１現在位置と第２現在位置とを比較し、不一致である場合には、第１現在位置に基づいて、第２現在位置を補正することにより、ＧＰＳ受信機２４からの位置情報を補正する。これにより、車載器５０が検出する位置精度を向上させることができる。
【００４６】
また、料金収受装置２が、工事等により設置位置が変更される場合や、新たに料金収受装置２が設置された場合等には、車載器５０の記憶装置２５に格納されている地図情報に登録されている料金収受装置２の位置情報は、古い情報となり、位置情報が正しく補正できない場合がある。そのため、車載器５０は、位置情報を補正する前に、車載器５０の記憶装置２５に備えられる地図情報が、最新の情報であるか否かを判定し、最新の地図情報が車載器５０に備えられていない場合には、最新の地図情報を取得することが好ましい。
【００４７】
例えば、地図情報が最新の情報であるか否かを判定する場合には、料金収受装置２のアンテナ（例えば、第１アンテナ５）の識別情報に、バージョン番号等のアンテナの設置位置の新旧識別情報（例えば、いつの時点における情報であるかを示す更新情報）を含ませておき、このアンテナの設置位置の新旧識別情報（更新情報）が、料金収受装置２側から取得した場合と、地図情報から読み出した場合とで一致するか否かを判定する。一致していない場合には、車載器５０は、地図情報に含まれる最新の地図情報をセンタ機より取得する。また、上記のようにバージョン番号等の新旧識別情報（更新情報）が一致しない場合だけでなく、取得したアンテナの識別情報が、地図情報から得られない場合に、最新の地図情報を取得することとしてもよい。
【００４８】
なお、上記では、車載器５０が最新の地図情報を取得する場合に、センタ機に備えられる地図情報の全体をダウンロードすることとして説明していたが、これに限定されない。例えば、車載器５０側でダウンロード対象として選定されたアンテナの識別情報に対する位置情報の情報を車載器５０からセンタ機に通知し、センタ機において、地図情報全体のうちから、通知されたアンテナの識別情報に対応する位置情報の情報のみを出力させることとしてもよい。このように、センタ機と車載器５０との間において、選定されたアンテナの識別情報に対応する位置情報だけを授受することによって、センタ機と車載器５０との間の通信負荷を低減することができる。
【００４９】
また、車載器５０は、第１広域通信機３２、専用狭帯域無線機（ＤＳＲＣ；Ｄｅｄｉｃａｔｅｄ  Ｓｈｏｒｔ  Ｒａｎｇｅ  Ｃｏｍｍｕｎｉｃａｔｉｏｎ）、及び第１広域通信機以外にセンタ機と通信可能に接続させる発行保守機器のうち少なくともいずれか１つから、料金収受装置２の正しい設置位置情報を有する最新の地図情報をダウンロードする。これにより、車載器５０は料金収受装置２の設置位置を特定する情報を、複数の経路から容易に取得することができる。
【００５０】
以上説明してきたように、本実施形態に係る車載器５０及び料金収受装置２によれば、車両３に搭載され、課金対象エリアＡの料金所に設置される料金収受装置との間で課金に関する情報を授受する車載器５０は、料金収受装置２の付近を通過すると、その料金収受装置２から料金収受装置２のアンテナの識別情報を取得する。車載器５０においてアンテナの識別情報が取得されると、記憶装置２５に記憶された地図情報に含まれる料金収受装置２のアンテナの設置位置とアンテナの識別情報とに基づいて、車両３の位置が推定される。この料金収受装置２から取得したアンテナの識別情報に基づいて推定された車両の位置と、ＧＰＳ受信機２４から取得される位置情報から推定される車両の位置とが比較され、車両の位置が一致していない場合には、ＧＰＳ受信機２４から取得された位置情報が補正される。このように、料金収受装置２側から推定される車両の位置と、ＧＰＳ受信機２４から推定される車両の位置とを比較し、一致していない場合に、ＧＰＳ受信機２４から取得される位置情報を補正するので、ＧＰＳ受信機２４から得られる位置情報の精度を保つことができる。
【００５１】
なお、本実施形態における地図情報のアンテナの設置位置の情報を示す位置情報は、演算に基づいて車両の位置を得るための相対的な位置を示す情報であってもよいし、車両の位置を特定する絶対的な位置を示す情報であってもよいこととする。このように、アンテナの設置位置の情報は、相対的な位置であっても、絶対的な位置であっても、確実に車両の位置を特定することができる。
【００５２】
〔変形例〕
上記実施形態においては、アンテナの識別情報の更新情報（例えば、バージョン番号）に基づいて、記憶装置２５に備えられる地図情報が、最新情報か否かを判定し、最新でない場合には、外部からダウンロードすることによって、最新の地図情報を得ることとしていたが、車載器５０の最新の地図情報の取得方法はこれに限定されない。
【００５３】
例えば、料金収受装置２から出力されるアンテナの識別情報に、アンテナの設置位置の情報を含むこととしてもよい。このような場合に、アンテナの設置位置の情報を含むアンテナの識別情報を取得した車載器５０は、車載器記憶装置２５に格納されている地図情報のうち、取得したアンテナの識別情報に対応するアンテナの設置位置の情報を変更する。または、アンテナの識別情報とともに取得したアンテナの設置位置の情報と、車載器記憶装置２５に格納されているアンテナの識別情報に対応するアンテナの設置位置の情報とにおいて、予め所定の条件に基づく優先順位を設定しておき、その優先順位に基づいて、地図情報を更新することとしてもよい。
このように、車載器５０側で、アンテナの更新情報を比較する時間を短縮することができ、アンテナの設置位置の情報を、速やかに得ることができる。
【符号の説明】
【００５４】
１  料金収受システム
３  車両
１７  センタ機
１８  第２広域通信機
２４  ＧＰＳ受信機
２５  車載器記憶装置
３２  第１広域通信機
３３  補正部
３４  通信ポート
３５  発行保守機器
５０  車載器
【図１】
0005393526.tif 000002
【図２】
0005393526.tif 000003
【図３】
0005393526.tif 000004
【図４】
0005393526.tif 000005
【図５】
0005393526.tif 000006
【図６】
0005393526.tif 000007
【図７】
0005393526.tif 000008
【図８】
0005393526.tif 000009
【図９】
0005393526.tif 000010